(57)【要約】【課題】一時的に文字を隠す用途に適した、着脱可能な、遮蔽部付き付箋を提供する。【解決手段】帯状の透明な基材４と、基材４の裏面に形成した着脱可能な粘着層６と、基材４の表面の長手方向の一部に印刷された、透視を妨げるための遮蔽部１０とで形成され、遮蔽部１０は、不透明な地色部１２を有する。上記遮蔽部１０は、遮蔽部１０の全体に亘って地色部１２を細分するように線又はマークで描かれた撹乱パターン１４を有する。撹乱パターン１４は、乱れ線模様としている。【選択図】図１
2015044341.tif 000002
【特許請求の範囲】
【請求項１】
帯状の透明な基材(４)と、基材(４)の裏面に形成した着脱可能な粘着層(６)と、基材(４)の表面の長手方向の一部に印刷された、透視を妨げるための遮蔽部(１０)とで形成され、
遮蔽部(１０)は、不透明な地色部(１２)を有することを特徴とする、遮蔽部付き付箋。
【請求項２】
上記遮蔽部(１０)は、遮蔽部(１０)の全体に亘って地色部(１２)を細分するように線又はマークで描かれた撹乱パターン(１４)を有することを特徴とする、請求項１記載の遮蔽部付き付箋。
【請求項３】
上記遮蔽部(１０)は、上記不透明な地色部(１２)に代えて、透明な地色部(１３)と、透明な地色部(１３)を細分化するように遮蔽部(１０)の全体に亘って線又はマークで描かれた撹乱パターン(１４)を有することを特徴とする、請求項１に記載の遮蔽部付き付箋。
【請求項４】
上記撹乱パターン(１４)を、乱れ線模様としたことを特徴とする、請求項２又は請求項３記載の遮蔽部付き付箋。
【請求項５】
上記基材(４)のうち遮蔽部(１０)と隣接ずる透明部分を、線の書き込みが可能に形成したことを特徴とする、請求項４記載の遮蔽部付き付箋。
【発明の詳細な説明】
【技術分野】
【０００１】
本発明は、遮蔽部付き付箋に関する。
【背景技術】
【０００２】
従来、参考書などのテキストの記載内容を覚えるための学習ツールとして、テキストのうちのキーワードを例えば赤字で記載し、これに赤い透明な下敷きを重ねて、キーワード部分を見えにくくするという技術が知られている（特許文献１の段落０００２）。
【先行技術文献】
【特許文献】
【０００３】
【特許文献１】特開２０１０−１３１８６６
【特許文献２】特開２０１１−０５１１４５
【発明の概要】
【発明が解決しようとする課題】
【０００４】
特許文献１の技術は、キーワードを周囲の文字と違う色で印刷する必要があり、予め決められたキーワードにしか適用できない。他方、付箋として、透明で書き込み可能な合成樹脂製フィルムで形成したものが知られているが（特許文献２）、文字を隠すという目的のものではない。透明なフィルムを採用する理由として、特許文献２の段落００１４には不透明な紙製であると下の文字が隠れてしまうという記載があるが、積極的に文字を隠すためには付箋の構造をどうしたらよいかという発想はなかった。
【０００５】
出願人は、付箋を使って任意の文字を隠す方法を研究した。普通の大きさの付箋では文字を隠すという用途には大きすぎることが多いし、他方、２〜３文字が隠れる程度の付箋にすると、摘持するのに小さ過ぎ、扱いにくい。
【０００６】
本発明の目的は、文字を隠す用途に適した遮蔽部付き付箋を提供することである。
【課題を解決するための手段】
【０００７】
第１の手段は、帯状の透明な基材４と、基材４の裏面に形成した着脱可能な粘着層６と、基材４の表面の長手方向の一部に印刷された、透視を妨げるための遮蔽部１０とで形成され、
遮蔽部１０は、不透明な地色部１２を有している。
【０００８】
本手段では、図２に示す如く、付箋の基材４の表面の長手方向一部に不透明な遮蔽部１０を形成することを提案する。この遮蔽部１０で所定のキーワードを隠すことができる。
【０００９】
第２の手段は、第１の手段を有し、かつ上記遮蔽部１０は、遮蔽部１０の全体に亘って地色部１２を細分するように線又はマークで描かれた撹乱パターン１４を有する。
【００１０】
本手段では、図２に示す如く、上記遮蔽部１０に撹乱パターン１４を設けた態様を設けることを提案する。付箋の基材４の素材としてフィルムなどの薄い材料を用いると、基板の材料自体が不透明としても、テキストを付箋で覆ったときに、下の文字がある程度遮蔽部の表側から透けて見えることが想定される。しかし遮蔽部１０の地色部１２を細分化する撹乱パターンがあると、利用者は、そのパターンの印象が強いので、僅かに透けて見える文字を目で追うことが困難になり、結果として遮蔽機能が高まる。本明細書において、「撹乱パターン」とは、見る者の視覚認識を撹乱し、下側から透ける文字などの認識を妨げるパターンという程度の意味である。
【００１１】
第３の手段は、第１の手段を有し、かつ上記遮蔽部１０は、上記不透明な地色部１２に代えて、透明な地色部１３と、透明な地色部１３を細分化するように遮蔽部１０の全体に亘って線又はマークで描かれた撹乱パターン１４を有する。
【００１２】
本手段では、遮蔽部１０は、上記不透明な地色部１２に代えて、図７に想像線で示した、透明な地色部１３と、透明な地色部１３を細分化するように遮蔽部１０の全体に亘って線又はマークで描かれた撹乱パターン１４とで構成する。
【００１３】
第４の手段は、第２の手段又は第３の手段を有し、かつ上記撹乱パターン１４を、乱れ線模様とした。
【００１４】
本手段では、撹乱パターンを乱れ線模様としている。ランダムな模様であるので、仮に文字がわずかに透けて見えても、模様の間からのぞく文字を利用者が目で追うことが一層困難となる。これについてはさらに後述する。
【００１５】
第５の手段は、第４の手段を有し、かつ上記基材４のうち遮蔽部１０と隣接ずる透明部分を、線の書き込みが可能に形成した。
【００１６】
本手段では、図5に示すように遮蔽部１０の乱れ線に加えて隣接部分に手書きで乱れ線を書き足すことが可能な態様を提案している。
【発明の効果】
【００１７】
第１の手段に係る発明によれば、付箋２の一部を遮蔽部としたから、テキストのキーワードを隠すことができ、隠す必要が無くなったら、付箋を除去することで再びキーワードが表れるので便利である。
第２の手段に係る発明によれば、遮蔽部１０に撹乱パターン１４を設けたから、遮蔽機能を高めることができる。
第３の手段に係る発明によれば、遮蔽部１０の地色を透明とし、そしてその地色部を細分化するように撹乱パターン１４を設けており、この態様でも遮蔽機能を発揮することができる。
第４の手段に係る発明によれば、撹乱パターン１４を乱れ線模様としており、その撹乱作用が一層高まる。
第５の手段に係る発明によれば、基材４のうち遮蔽部１０と隣接する透明部分に線の書き込みが可能としたから、遮蔽部１０の乱れ線に加えて手書きの乱れ線を書き足して遮蔽範囲を拡大することができる。
【図面の簡単な説明】
【００１８】
【図１】本発明の第１実施形態に係る遮蔽部付き付箋の斜視図である。
【図２】図１の付箋の平面図である。
【図３】図１の付箋の側面形状を、厚みを誇張して描いた図である。
【図４】図１の付箋の使用方法の説明図である。
【図５】図１の付箋の作用説明図である。
【図６】図１の付箋の積層体の一つの実施例の平面図である。
【図７】本発明の第２実施形態に係る遮蔽部付き付箋の平面図である。
【発明を実施するための最良の形態】
【００１９】
図１から図５は、本発明の第１の実施形態に係る付箋である。なお、図１及び図２では、実施の好適例として、多数の付箋を重ね合せ、台紙２０に取り付けたもの（付箋積層体１）を、想像線で描いている。
【００２０】
付箋２は、細長い透明な基材４を有し、基材４の裏面に着脱可能な粘着層６を形成するとともに、基材４の表面に遮蔽部１０を、印刷などの手段により形成している。
【００２１】
上記基材４は、帯状の薄い板又はシートとして形成される。その基材４の巾Ｄは、印刷物の一般的な文字のサイズ（例えば８〜１２ポイント）に対応してそれよりやや大きく設ける。また基材４は、透明な材料で形成する。遮蔽する箇所以外の文字を透視することが可能とするためである。
【００２２】
上記基材４の裏面には、粘着層６を設ける。粘着層６は、基材４の基端Ｅ１寄りの一定範囲（図示例では全長の３／４程度）に亘って形成する。粘着層６が設けられていない、基材４の先端Ｅ２側の端部は、例えば彩色により区分された摘み部８としている。
【００２３】
遮蔽部１０は、基材４の表面に、長手方向の一部を占めるように形成する。
【００２４】
この遮蔽部１０の長さＬは、付箋の巾Ｄのほぼ整数倍とすることが好適である。平均的な文字の縦・横のサイズは大よそ同じであるから、付箋の巾Ｄを、ある文字サイズの一文字分とすれば、遮蔽部１０の長さＬをそのＮ倍（Ｎは整数）とすることで、Ｎ個の文字を隠すことが可能な遮蔽部１０が得られる。本発明の一実施例として、図６に示すように、付箋の巾Ｄが同じで遮蔽部１０の長さＬが異なる（但しＤの整数倍であるという条件を満たす）複数の付箋積層体の組を台紙２０に貼り付けて販売してもよい。図示例では、２文字隠蔽用、３文字隠蔽用、４文字隠蔽用の長さを有する隠蔽部付きの付箋を開示しているが、何文字用とするのかは適宜変更することができる。
【００２５】
遮蔽部１０は、地色部１２と、乱れ線模様の撹乱パターン１４とで構成されている。地色部１２は、不透明であり、撹乱パターン１４は、地色とは異なる色で地色部１２を細分するように地色部１２のほぼ全体に亘って形成される。もっとも上記構成のうち撹乱パターンは省略することができる。また不透明な地色部を透明な地色部に変更する例について後述する。
【００２６】
図４は、（Ａ）遮蔽部１０に撹乱パターン１４を設けた場合と、（Ｂ）遮蔽部１０に撹乱パターン１４を設けていない場合との作用を対比可能に示している。付箋を合成樹脂製のフィルムで形成したときには、フィルムの材料自体が不透明でも、テキストの文字の太さや色彩次第では図４（Ｂ）のようにある程度透けて見える可能性がある。そこで図４（Ａ）のように乱れ線模様の撹乱パターン１４を設けると、利用者の注意は撹乱パターン１４に惹かれるため、僅かに透けている文字を認識しにくい。撹乱パターン１４としては、規則正しい複数の平行線（ハッチングなど）のパターンなどでもよいが、ランダムな乱れ線がより効果的である。
【００２７】
図５は、本発明の使用例を説明している。図５（Ａ）に示す如く、テキストＢを開いて、テキスト中の、あるキーワード（例えば「大化改新」）に遮蔽部１０が重なるように付箋２を貼り付ける（図５（Ｂ）の如く参照）。そうすると、キーワード以外の部分は透視して見えるので、この状態でキーワードの暗記作業を行うとよい。
【００２８】
必要がなくなったときには、上記付箋２を貼付箇所から剥離することができる。そして別のキーワード（例えば「班田収授の法」）に同様の手順で付箋２を貼付してもよい。このときに、キーワードの語数に適合する長さの遮蔽部１０を有する付箋２が利用者の手元にあれば、それを用いればよい。しかし、手元に有する付箋の遮蔽部１０がキーワードの語数を隠すのに短すぎるときには、取りあえずその付箋２を貼付するとともに、その付箋２の透明部分に乱れ線を書き込んでキーワードを隠すようにするとよい。
【００２９】
以下本発明の他の実施形態を説明する。この説明において第１実施形態と同じ構造に関しては解説を省略する。
【００３０】
図７は、本発明の第２実施形態に係る遮蔽部付きの付箋を示している。この構成において、遮蔽部１０は、不透明な地色部１２に代えて、想像線で示す透明な地色部１３を採用している。本実施形態では、文字を隠す機能は専ら撹乱パターン１４により達成される。図示はしていないが、当該機能を発揮するために、撹乱パターンの線の太さを第１実施形態のそれに比べて大とすることができる。なお、想像線は観念的に基板の残りの部分と区別をするために作図している。実際には、遮蔽部１０の地色部１３と残りの基材部分とは、境目が全く区別できないものでもよく、またデザイン上の都合で、両者の一方又は双方を色付き透明部分として、色の違いで境目を認識できるものとしてもよい。
【符号の説明】
【００３１】
１…付箋積層体  ２…付箋  ４…基材  ６…粘着層  ８…摘み部
１０…遮蔽部  １２…地色部  １３…地色部  １４…撹乱パターン
Ｂ…テキスト  Ｄ…巾  Ｅ１…基端  Ｅ２…先端  Ｌ…長さ    Ｗ…文字
【図１】
2015044341.tif 000003
【図２】
2015044341.tif 000004
【図３】
2015044341.tif 000005
【図４】
2015044341.tif 000006
【図５】
2015044341.tif 000007
【図６】
2015044341.tif 000008
【図７】
2015044341.tif 000009